【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
オーディオ信号の再生に影響を与えるように前記オーディオ信号を処理するための方法にであって、
デジタルオーディオフィルタを規定する仮想化プロファイルに対して要求されるサンプリングレートを指定する仮想化プロファイル要求を、サーバコンピュータに送る段階と、  前記要求されたサンプリングレートの前記仮想化プロファイルを前記サーバコンピュータから受け取る段階と、
前記要求されたサンプリングレートの前記仮想化プロファイルとともに前記オーディオ信号の畳み込みを行うことによって、少なくとも前記仮想化プロファイルに基づいて前記オーディオ信号をフィルタリングする段階と、
を含む方法。
【請求項２】
前記仮想化プロファイルは、制作環境の音響モデルを表す、請求項１に記載の方法。
【請求項３】
前記オーディオ信号を、オーディオトランスデューサを介してサウンドとして再生させる段階をさらに含む、請求項１に記載の方法。
【請求項４】
オーディオ信号の再生に影響を与えるように前記オーディオ信号を処理するための方法にであって、
デジタルオーディオフィルタを規定する仮想化プロファイルをサーバコンピュータに要求する段階と、
設計サンプリングレートの前記要求仮想化プロファイルを前記サーバコンピュータから受け取る段階と、
要求されたサンプリングレートと前記設計サンプリングレートとの間の差異に応答して、前記オーディオ信号に関する前記要求されたサンプリングレートで前記仮想化プロファイルをリサンプリングする段階と、
少なくとも、前記要求されたサンプリングレートの前記仮想化プロファイルに基づいて、前記オーディオ信号をフィルタリングする段階と、
を含む方法。
【請求項５】
前記仮想化プロファイルをリサンプリングする段階は、
前記仮想化プロファイルを補間して連続時間帯域制限インパルス応答（ＣＢＩＲ）の表現を得る段階と、
前記要求されたサンプリングレートで前記ＣＢＩＲをリサンプリングする段階と、
を含む、請求項４に記載の方法。
【請求項６】
前記オーディオ信号をフィルタリングする段階は、前記要求されたサンプリングレートの前記仮想化プロファイルとともに前記オーディオ信号の畳み込みを行う段階を含む、請求項４に記載の方法。
【請求項７】
オーディオトランスデューサを介して、制作環境をシミュレートするサウンドとして前記オーディオ信号を再生させる段階をさらに含む、請求項４に記載の方法。
【請求項８】
仮想化プロファイルを用いてオーディオ信号の再生に影響を与えるためのコンピュータ実行方法であって、
デジタルオーディオフィルタを規定する、設計サンプリングレートの仮想化プロファイルを格納する段階と、
前記仮想化プロファイルに対して要求されるサンプリングレートを指定する仮想化プロファイル要求を、クライアントデバイスから受け取る段階と、
コンピュータプロセッサによって、前記要求されたサンプリングレートと前記設計サンプリングレートとの間の差異に応答して、前記格納された仮想化プロファイルを前記要求されたサンプリングレートでリサンプリングする段階と、
前記要求されたサンプリングレートの前記仮想化プロファイルを前記クライアントデバイスに送信する段階と、
を含む方法。
【請求項９】
前記デジタルオーディオフィルタは、制作環境の音響モデルを表しており、有限インパルス応答（ＦＩＲ）フィルタ、無限インパルス応答（ＩＩＲ）フィルタ、及びフィードバック遅延ネットワーク（ＦＤＮ）フィルタのうちの少なくとも１つを含む、請求項８に記載の方法。
【請求項１０】
前記仮想化プロファイルは、オーディオトランスデューサを介して前記オーディオ信号を再生させ、前記制作環境をシミュレートする、請求項９に記載の方法。
【請求項１１】
前記仮想化プロファイルは、固定小数点又は浮動小数点の値での一連のフィルタ係数として格納される、請求項８に記載の方法。
【請求項１２】
前記仮想化プロファイルをリサンプリングする段階は、
前記仮想化プロファイルを補間して連続時間帯域制限インパルス応答（ＣＢＩＲ）の表現を得る段階と、
前記要求されたサンプリングレートで前記ＣＢＩＲをリサンプリングする段階と、
を含む、請求項８に記載の方法。
【請求項１３】
前記設計サンプリングレートよりも低いサンプリングレートで前記ＣＢＩＲをリサンプリングする段階は、より少ないフィルタ係数をもたらし、前記設計サンプリングレートよりも高いサンプリングレートで前記ＣＢＩＲをリサンプリングする段階は、より多いフィルタ係数をもたらす、請求項１２に記載の方法。
【請求項１４】
種々のサンプリングレートに合わせて前記仮想化プロファイルをスケーリングして、主観的オーディオ効果を達成する段階をさらに含む、請求項８に記載の方法。
【請求項１５】
実行された場合に、１又は２以上のプロセッサに、動作を実行させるコンピュータ実行可能命令を格納する非一時的コンピュータ可読記憶媒体であって、前記動作は、
デジタルオーディオフィルタを規定し設計サンプリングレートの仮想化プロファイルを格納する段階と、
前記仮想化プロファイルに対して要求されるサンプリングレートを指定する仮想化プロファイル要求を、クライアントデバイスから受け取る段階と、
前記要求されたサンプリングレートと前記設計サンプリングレートとの間の差異に応答して、前記格納された仮想化プロファイルを前記要求されたサンプリングレートでリサンプリングする段階と、
前記要求されたサンプリングレートの前記仮想化プロファイルを前記クライアントデバイスに送信する段階と、
を含む非一時的コンピュータ可読記憶媒体。
【請求項１６】
前記デジタルオーディオフィルタは、制作環境の音響モデルを表しており、有限インパルス応答（ＦＩＲ）フィルタ、無限インパルス応答（ＩＩＲ）フィルタ、及びフィードバック遅延ネットワーク（ＦＤＮ）フィルタのうちの少なくとも１つを含む、請求項１５に記載の非一時的コンピュータ可読記憶媒体。
【請求項１７】
前記仮想化プロファイルは、オーディオトランスデューサを介して前記オーディオ信号を再生させ、前記制作環境をシミュレートする、請求項１６に記載の非一時的コンピュータ可読記憶媒体。
【請求項１８】
前記仮想化プロファイルをリサンプリングする段階はさらに、
前記仮想化プロファイルを補間して連続時間帯域制限インパルス応答（ＣＢＩＲ）の表現を得る段階と、
前記要求されたサンプリングレートで前記ＣＢＩＲをリサンプリングする段階と、
を含む、請求項１５に記載の非一時的コンピュータ可読記憶媒体。
【請求項１９】
オーディオ信号を処理するためのオーディオデバイスであって、
デジタルオーディオフィルタを規定し仮想化環境をシミュレートする仮想化プロファイルに対して要求されるサンプリングレートを指定する仮想化プロファイル要求を、サーバコンピュータに送り、
前記要求されたサンプリングレートの前記要求仮想化プロファイルを前記サーバコンピュータから受け取る、
ように構成された通信インタフェースと、
前記受け取った仮想化プロファイルを格納するための記憶装置と、
前記記憶装置及び通信インタフェースと通信するプロセッサと、
を備え、
前記プロセッサは、前記要求されたサンプリングレートの前記仮想化プロファイルとともに前記オーディオ信号の畳み込みを行うことによって、少なくとも前記仮想化プロファイルに基づいて前記オーディオ信号をフィルタリングするようにプログラムされている、ことを特徴とするオーディオデバイス。
【請求項２０】
オーディオ信号を処理するためのオーディオデバイスであって、
デジタルオーディオフィルタを規定し仮想化環境をシミュレートする仮想化プロファイルをサーバコンピュータに要求し、
設計サンプリングレートの前記要求仮想化プロファイルを前記サーバコンピュータから受け取るように構成された通信インタフェースと、
前記受け取った仮想化プロファイルを格納するための記憶装置と、
前記記憶装置及び通信インタフェースと通信するプロセッサと、
を備え、前記プロセッサは、
要求されたサンプリングレートと前記設計サンプリングレートとの間の差異に応答して、前記オーディオ信号に関する前記要求されたサンプリングレートで前記仮想化プロファイルをリサンプリングし、
少なくとも、前記要求されたサンプリングレートの前記仮想化プロファイルに基づいて、前記オーディオ信号をフィルタリングするようにプログラムされている、
ことを特徴とするオーディオデバイス。
【請求項２１】
前記仮想化プロファイルをリサンプリングすることは、
前記仮想化プロファイルを補間して連続時間帯域制限インパルス応答（ＣＢＩＲ）の表現を得る段階と、
前記要求されたサンプリングレートで前記ＣＢＩＲをリサンプリングする段階と、
を含む、請求項２０に記載のオーディオデバイス。
【請求項２２】
前記オーディオ信号をフィルタリングすることは、前記要求されたサンプリングレートの前記仮想化プロファイルとともに前記オーディオ信号の畳み込みを行う段階を含む、請求項２０に記載のオーディオデバイス。
【請求項２３】
１又は２以上のプロセッサに、
デジタルオーディオフィルタを規定し設計サンプリングレートの仮想化プロファイルを格納する段階と、
前記仮想化プロファイルに対して要求されるサンプリングレートを指定する仮想化プロファイル要求を、クライアントデバイスから受け取る段階と、
前記要求されたサンプリングレートと前記設計サンプリングレートとの間の差異に応答して、前記格納された仮想化プロファイルを前記要求されたサンプリングレートでリサンプリングする段階と、
前記要求されたサンプリングレートの前記仮想化プロファイルを前記クライアントデバイスに送信する段階と、
を実行させるためのコンピュータプログラム。